【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
サーバ装置と、このサーバ装置に対し通信ネットワークを介して接続可能なクライアント装置とを備え、クライアント装置からの要求に応じて前記サーバ装置からクライアント装置に対しコンテンツをダウンロードするシステムにおいて、
前記サーバ装置は、
前記コンテンツのダウンロードに先立ち、当該ダウンロード対象のコンテンツのダウンロードタイミングを指定するタイミング指定情報を、前記クライアント装置に対し送信する手段と、
前記タイミング指定情報の送信に応答して前記クライアント装置からダウンロード要求が送られた場合に、前記ダウンロード対象のコンテンツを要求元のクライアント装置へ送信する手段と
を備え、
前記クライアント装置は、
前記サーバ装置から送信されるタイミング指定情報を受信する手段と、
前記受信されたタイミング指定情報に基づいて、前記ダウンロード要求の送信タイミングを決定する手段と、
前記決定された送信タイミングもしくはそれ以降において、前記ダウンロード要求を前記サーバ装置へ送信する手段と、
前記ダウンロード要求の送信に応答して前記サーバ装置から送信されるコンテンツを受信する手段と
を備えることを特徴とするコンテンツダウンロードシステム。
【請求項２】
前記タイミング指定情報を送信する手段は、ダウンロード対象となるコンテンツのダウンロードタイミングを指定する情報を送信するための専用の制御データを生成し、この生成された制御データを前記クライアント装置に対し送信することを特徴とする請求項１記載のコンテンツダウンロードシステム。
【請求項３】
前記サーバ装置が、ダウンロード対象となるコンテンツの属性情報を記述するダウンロードディスクリプタを生成してクライアント装置へ送信する手段を、さらに備える場合に、
前記タイミング指定情報を送信する手段は、ダウンロード対象となるコンテンツのダウンロードタイミングを指定する情報を前記ダウンロードディスクリプタに含めて、前記クライアント装置に対し送信することを特徴とする請求項１記載のコンテンツダウンロードシステム。
【請求項４】
前記タイミング指定情報を送信する手段は、タイミング指定情報として、ダウンロード対象となるコンテンツのダウンロード開始時刻及び更新周期を指定する情報を送信することを特徴とする請求項１記載のコンテンツダウンロードシステム。
【請求項５】
前記サーバ装置は、
前記タイミング指定情報の更新の有無を表す情報を、前記クライアント装置に対し送信する手段と、
前記タイミング指定情報の更新の有無を表す情報の送信に応答して前記クライアント装置からタイミング指定情報の取得要求が送られた場合に、更新されたタイミング指定情報を前記クライアント装置へ送信する手段と
を、さらに備え、
前記クライアント装置は、
前記サーバ装置から送られる、前記タイミング指定情報の更新の有無を表す情報を受信する手段と、
前記受信された更新の有無を表す情報をもとに、タイミング指定情報が更新されたか否かを判定する手段と、
前記判定によりタイミング指定情報の更新が確認された場合に、タイミング指定情報の取得要求を前記サーバ装置に対し送信する手段と、
前記タイミング指定情報の取得要求の送信に応答して前記サーバ装置から送られる、前記更新された新たなタイミング指定情報を受信する手段と、
前記受信された新たなタイミング指定情報に基づいて、前記ダウンロード要求の送信タイミングを設定し直す手段と
を、さらに備えることを特徴とする請求項１記載のコンテンツダウンロードシステム。
【請求項６】
前記クライアント装置は、
前記受信されたコンテンツの更新の有無を判定する手段と、
前記コンテンツの更新の有無の判定結果に基づいて、次回のダウンロード要求の送信タイミングを、前記受信されたタイミング指定情報により指定される条件の範囲内で可変設定する手段と
を、さらに備えることを特徴とする請求項１記載のコンテンツダウンロードシステム。
【請求項７】
サーバ装置に対し通信ネットワークを介して接続され、ダウンロード要求に応じて前記サーバ装置からダウンロードされるコンテンツを受信するクライアント装置において、
前記サーバ装置から、ダウンロード対象となるコンテンツのダウンロードタイミングを指定する情報を受信する手段と、
前記受信されたダウンロードタイミングを指定する情報に基づいて、前記ダウンロード要求の送信タイミングを決定する手段と、
前記決定された送信タイミングもしくはそれ以降において、前記ダウンロード要求を前記サーバ装置へ送信する手段と、
前記ダウンロード要求の送信に応答して前記サーバ装置から送信されるコンテンツを受信する手段と
を具備することを特徴とするクライアント装置。
【請求項８】
サーバ装置と、このサーバ装置に対し通信ネットワークを介して接続可能なクライアント装置とを備え、クライアント装置からの要求に応じて前記サーバ装置からクライアント装置に対しコンテンツをダウンロードするシステムにおいて、
前記サーバ装置は、
前記コンテンツのダウンロードに先立ち、当該ダウンロード対象のコンテンツが複数のダウンロードオブジェクトにより構成されるものか否かを表す識別情報を、前記クライアント装置に対し送信する手段と、
前記識別情報の送信に応答してクライアント装置からダウンロード要求が送られた場合に、前記ダウンロード対象のコンテンツを要求元のクライアント装置へ送信する手段と
を備え、
前記クライアント装置は、
前記サーバ装置から送信される識別情報を受信する手段と、
前記受信された識別情報が、コンテンツが複数のダウンロードオブジェクトにより構成されることを示す場合、当該コンテンツをもれなく受信可能であるか否かを判定する手段と、
もれなく受信可能と判定された場合に、前記サーバ装置に対しダウンロード要求を送信する手段と、
前記ダウンロード要求の送信に応答して前記サーバから送られるコンテンツを受信する手段と
を備えることを特徴とするコンテンツダウンロードシステム。
【請求項９】
前記サーバ装置が、ダウンロード対象となるコンテンツの属性情報を記述するダウンロードディスクリプタを生成してクライアント装置に送信する手段を、さらに備える場合に、
前記識別情報を送信する手段は、前記ダウンロード対象となるコンテンツが複数のダウンロードオブジェクトにより構成されるものか否かを表す識別情報を、前記ダウンロードディスクリプタに含めてクライアント装置へ送信することを特徴とする請求項８記載のコンテンツダウンロードシステム。
【請求項１０】
前記サーバ装置が、ダウンロード対象となるコンテンツのメディアタイプ及びサイズを含む属性情報を記述するダウンロードディスクリプタを生成してクライアント装置に送信する手段を、さらに備える場合に、
前記サーバ装置及びクライアント装置のいずれか一方は、
ダウンロード対象のコンテンツのヘッダに挿入されるコンテンツのメディアタイプ及びサイズの少なくとも一方と、当該コンテンツに対応するダウンロードディスクリプタに記述されるメディアタイプ及びサイズの少なくとも一方とを比較する手段と、
前記比較の結果、メディアタイプ及びサイズの少なくとも一方が一致しない場合に、前記コンテンツのダウンロードを中止する手段と
を、さらに備えることを特徴とする請求項８記載のコンテンツダウンロードシステム。
【請求項１１】
サーバ装置に対し通信ネットワークを介して接続され、ダウンロード要求に応じて前記サーバ装置からダウンロードされるコンテンツを受信するクライアント装置において、
前記サーバ装置から前記コンテンツのダウンロードに先立ち送信される、当該ダウンロード対象のコンテンツが複数のダウンロードオブジェクトにより構成されるものか否かを表す識別情報を受信する手段と、
前記受信された識別情報が、コンテンツが複数のダウンロードオブジェクトにより構成されることを示す場合、当該コンテンツをもれなく受信可能であるか否かを判定する手段と、
もれなく受信可能と判定された場合に、前記サーバ装置に対しダウンロード要求を送信する手段と、
前記ダウンロード要求の送信に応答して前記サーバから送られるコンテンツを受信する手段と
を具備することを特徴とするクライアント装置。
【手続補正２】
【補正対象書類名】明細書
【補正対象項目名】発明の名称
【補正方法】変更
【補正の内容】
【発明の名称】コンテンツダウンロードシステムとそのクライアント装置
【手続補正３】
【補正対象書類名】明細書
【補正対象項目名】０００１
【補正方法】変更
【補正の内容】
【０００１】
この発明は、サーバ装置から携帯電話機やＰＤＡ（Personal Digital Assistants）等の移動通信機器へコンテンツをダウンロードするシステムと、そのシステムで使用されるクライアント装置に関する。
【手続補正４】
【補正対象書類名】明細書
【補正対象項目名】０００８
【補正方法】変更
【補正の内容】
【０００８】
この発明は上記事情に着目してなされたもので、その目的とするところは、通信トラフィックを増加させることなくコンテンツの自動ダウンロードを可能とするコンテンツダウンロードシステムとそのクライアント装置を提供することにある。
【手続補正５】
【補正対象書類名】明細書
【補正対象項目名】００１８
【補正方法】変更
【補正の内容】
【００１８】
要するにこの発明によれば、コンテンツのダウンロードに先立ち、当該ダウンロード対象のコンテンツのダウンロードタイミングを指定するタイミング指定情報をサーバ装置からクライアント装置に対し送信し、クライアント装置は、上記サーバ装置から送信されるタイミング指定情報に基づいてダウンロード要求の送信タイミングを決定し、この決定された送信タイミングもしくはそれ以降にダウンロード要求をサーバ装置へ送信するようにしている。  
したがってこの発明によれば、通信トラフィックを増加させることなくコンテンツの自動ダウンロードを可能としたコンテンツダウンロードシステムとそのクライアント装置を提供することができる。